(57)【特許請求の範囲】
【請求項１】
取付部材を、建物躯体と外壁材との間に間隔を有した建物外壁の壁面に取付ける取付構造であって、
前記取付部材は、取付部と、この取付部の下又は上に設けた支持部を備え、
前記取付部を、その取付部及び外壁材を貫通して建物躯体に固着した取付用固着具で壁面に取付け、
前記支持部を、前記外壁材を貫通して建物躯体に固着した支持用固着具の壁面から突出した頭部に接して外力を支持するようにし、
前記支持用固着具は、支持部が取付部の下の取付部材においては当該支持用固着具の頭部が建物躯体への固着部よりも上となるように水平に対して前記建物躯体に向けて斜め下向きで、支持部が取付部の上の取付部材においては当該支持用固着具の頭部が建物躯体への固着具よりも下となるように水平に対して前記建物躯体に向けて斜め上向きであることを特徴とする取付部材の取付構造。
【請求項２】
取付部材を、建物躯体と外壁材との間に間隔を有した建物外壁の壁面に取付ける取付構造であって、
前記壁面にスペーサ部品を、前記外壁材を貫通して建物躯体に固着した支持用固着具で取付け、このスペーサ部品の一側面を壁面に接すると共に、他側面に支持用固着具の頭部を接し、
前記取付部材は、取付部と、この取付部の下又は上に設けた支持部を備え、
前記取付部を、その取付部及び外壁材を貫通して前記建物躯体に固着した取付用固着具で壁面に取付け、
前記支持部を、前記スペーサ部品と前記支持用固着具の頭部の少なくとも一方に接して外力を支持するようにし、
前記支持用固着具は、支持部が取付部の下の取付部材においては当該支持用固着具の頭部が建物躯体への固着部よりも上となるように水平に対して前記建物躯体に向けて斜め下向きで、支持部が取付部の上の取付部材においては当該支持固着具の頭部が建物躯体への固着部よりも下となるように水平に対して前記建物躯体に向けて斜め上向きであることを特徴とする取付部材の取付構造。
【請求項３】
取付部材を、取付部を有した本体部材と支持部を有する支持部材の２部材とし、
その本体部材の取付部と支持部材を取付用固着具で壁面に取付け、前記本体部材を支持部材に載置した請求項１又は２記載の取付部材の取付構造。
【請求項４】
支持用固着具の頭部と壁面との間にスペーサ部品を設け、そのスペーサ部品の一側面を壁面に接すると共に、他側面に頭部を接した請求項１記載の取付部材の取付構造。
【請求項５】
建物躯体と外壁材との間に間隔を有した建物外壁の壁面に、取付部材を取付ける取付構造であって、
支持用固着具を、前記建物躯体に固着して取付け、
該支持用固着具を、水平に対して前記建物躯体に向けて斜め下向きとすると共に、その支持用固着具の頭部と壁面との間にスペーサ部品を設け、そのスペーサ部品の一側面を壁面に接すると共に、他側面に頭部を接し、
前記取付部材は、本体部材と支持部材の２部材とし、
前記支持部材は、前記壁面に取付けられる取付用の縦片と、前記支持用固着具の頭部とスペーサ部品を覆う覆体を備え、
前記本体部材は、前記支持部材に載置する載置部と、前記取付用の縦片に重なり合う取付部を有し、
前記取付部と取付用の縦片を貫通して前記建物躯体に固着した取付用固着具で、前記本体部材と支持部材が壁面に取付けられ、
前記本体部材の載置部が支持部材に載置し、前記覆体が前記支持用固着具の頭部とスペーサ部品を覆うと共に、その覆体が前記頭部に接して外力を支持するようにしたことを特徴とする取付部材の取付構造。
【請求項６】
取付部材を、請求項１〜５いずれか１項に記載の取付構造で壁面に取付けたことを特徴とする簡易構造物。
【発明の詳細な説明】
【技術分野】
【０００１】
本発明は、簡易車庫、バルコニー、テラス、パーゴラ、屋根、日除、庇、格子等の簡易構造物の取付部材を外壁材等の壁面に取付ける構造及び簡易構造物に関する。
【背景技術】
【０００２】
特許文献１に簡易構造物の一種であるパーゴラが記載されている。
このパーゴラは、フェンスの支柱に梁の一端部を連結し、この梁の他端部を壁面に取付けた固定金具に連結している。
【特許文献１】特開２００７−２５５１６１号公報
【発明の開示】
【発明が解決しようとする課題】
【０００３】
前述した従来のパーゴラにおいては、梁の自重や梁に作用する荷重等の外力が固定金具にかかり、その外力を固定金具で支持している。
一方、前記固定金具は、その固定金具を貫通したねじ等の固着具を、外壁材を貫通して建物躯体に固着することで、その固着具の頭部を固定金具の表面に接し、その固定金具の裏面を外壁材の表面（壁面）に押しつけて取付けている。
このようであるから、固定金具にかかる外力によって固着具に曲げ力（曲げモーメント）が作用し、大きな外力が作用すると固着具の建物躯体から突出している部分が曲がり、固定金具が下にずれたり、外壁材に無理な力が作用して損傷する恐れがあった。
【０００４】
前述のことは、簡易構造物である簡易車庫の棟木を壁面に、前述のように固着具で取付け、屋根の自重、屋根に作用する荷重等の外力を棟木で支持するようにした場合にも同様にして固着具の曲がりとして発生する。
要するに、簡易構造物を壁面に取付けて外力を支持する取付部材（前述の固定金具、棟木）を、建物躯体に固着した固着具で外壁材の表面（壁面）に押しつけて取付けるようにした簡易構造物においては、その取付部材に大きな外力が作用すると固着具が曲がることがある。
【０００５】
このことは、断熱材を建物躯体よりも室外側に設けた外断熱方式の建物外壁に簡易構造物を取付ける場合に著しく発生する。
すなわち、前述した外断熱方式の建物外壁であると、建物躯体から外壁材までの距離が断熱材の厚さによって長くなるので、固着具の建物躯体から突出している部分の長さが断熱材の厚さによって長くなり、取付部材に作用する外力で固着具が曲がり易くなる。
【０００６】
本発明の目的は、取付部材を壁面に取付ける固着具が、その取付部材に作用する外力で曲がることがないようにした取付部材の取付構造及び簡易構造物とすることである。
【課題を解決するための手段】
【０００７】
本発明の取付部材の取付構造は、取付部材を、建物躯体と外壁材との間に間隔を有した建物外壁の壁面に取付ける取付構造であって、
前記取付部材は、取付部と、この取付部の下又は上に設けた支持部を備え、
前記取付部を、その取付部及び外壁材を貫通して建物躯体に固着した取付用固着具で壁面に取付け、
前記支持部を、前記外壁材を貫通して建物躯体に固着した支持用固着具の壁面から突出した頭部に接して外力を支持するようにし、
前記支持用固着具は、支持部が取付部の下の取付部材においては当該支持用固着具の頭部が建物躯体への固着部よりも上となるように水平に対して前記建物躯体に向けて斜め下向きで、支持部が取付部の上の取付部材においては当該支持用固着具の頭部が建物躯体への固着具よりも下となるように水平に対して前記建物躯体に向けて斜め上向きであることを特徴とする取付部材の取付構造である。
【０００８】
本発明の取付部材の取付構造は、取付部材を、建物躯体と外壁材との間に間隔を有した建物外壁の壁面に取付ける取付構造であって、
前記壁面にスペーサ部品を、前記外壁材を貫通して建物躯体に固着した支持用固着具で取付け、このスペーサ部品の一側面を壁面に接すると共に、他側面に支持用固着具の頭部を接し、
前記取付部材は、取付部と、この取付部の下又は上に設けた支持部を備え、
前記取付部を、その取付部及び外壁材を貫通して前記建物躯体に固着した取付用固着具で壁面に取付け、
前記支持部を、前記スペーサ部品と前記支持用固着具の頭部の少なくとも一方に接して外力を支持するようにし、
前記支持用固着具は、支持部が取付部の下の取付部材においては当該支持用固着具の頭部が建物躯体への固着部よりも上となるように水平に対して前記建物躯体に向けて斜め下向きで、支持部が取付部の上の取付部材においては当該支持固着具の頭部が建物躯体への固着部よりも下となるように水平に対して前記建物躯体に向けて斜め上向きであることを特徴とする取付部材の取付構造である。
【０００９】
前述した各本発明における取付部材の取付構造においては、取付部材を、取付部を有した本体部材と支持部を有する支持部材の２部材とし、
その本体部材の取付部と支持部材を取付用固着具で壁面に取付け、前記本体部材を支持部材に載置するようにできる。
このようにすれば、既存の取付部材を用いることができる。
【００１１】
本発明における取付部材の取付構造においては、支持用固着具の頭部と壁面との間にスペーサ部品を設け、そのスペーサ部品の一側面を壁面に接すると共に、他側面に頭部を接するようにできる。
このようにすれば、斜め下向きの支持用固着具の頭部をスペーサ部品を介して壁面に接することができる。
【００１２】
本発明の取付部材の取付構造は、建物躯体と外壁材との間に間隔を有した建物外壁の壁面に、取付部材を取付ける取付構造であって、
支持用固着具を、前記建物躯体に固着して取付け、
該支持用固着具を、水平に対して前記建物躯体に向けて斜め下向きとすると共に、その支持用固着具の頭部と壁面との間にスペーサ部品を設け、そのスペーサ部品の一側面を壁面に接すると共に、他側面に頭部を接し、
前記取付部材は、本体部材と支持部材の２部材とし、
前記支持部材は、前記壁面に取付けられる取付用の縦片と、前記支持用固着具の頭部とスペーサ部品を覆う覆体を備え、
前記本体部材は、前記支持部材に載置する載置部と、前記取付用の縦片に重なり合う取付部を有し、
前記取付部と取付用の縦片を貫通して前記建物躯体に固着した取付用固着具で、前記本体部材と支持部材が壁面に取付けられ、
前記本体部材の載置部が支持部材に載置し、前記覆体が前記支持用固着具の頭部とスペーサ部品を覆うと共に、その覆体が前記頭部に接して外力を支持するようにしたことを特徴とする取付部材の取付構造とすることもできる。
【００１３】
本発明の簡易構造物は、取付部材を、請求項１〜５いずれか１項に記載の取付構造で壁面に取付けたことを特徴とする簡易構造物である。
【発明の効果】
【００１４】
請求項１，２に係る本発明によれば、取付部材に作用する外力の一部を支持用固着具で支持するので、その取付部材を建物躯体と外壁材との間に間隔を有した建物外壁の壁面に取付ける取付用固着具が、その取付部材に作用する外力で曲がることがないようにできる。
また、支持用固着具が、水平に対して建物躯体に向けて斜め下向き又は斜め上向きであるから、取付部材に作用する外力の大半が支持用固着具の軸方向に作用し、曲げ力として作用する外力が小さくなるので、より大きな外力を支持できる。
【００１５】
請求項５に係る本発明によれば、取付部材の本体部材に作用する外力の一部を支持部材を介して支持用固着具で支持するので、その取付部材を壁面に取付ける取付用固着具が、断熱材の厚さによって長くとも、その取付部材に作用する外力で曲がることがないようにできる。
また、本体部材と支持部材の２部材で取付部材としてあるので、既存の取付部材を用いることができる。
また、本体部材の取付部と支持部材の取付用の縦片を重ねて共通の取付用固着具で取付けでき、取付用固着具の数を少なくできると共に、簡単に取付けできる。
また、支持用固着具が水平に対して建物躯体に向けて斜め下向きであるから、取付部材の本体部材に作用する外力の大半が支持用固着具の軸方向に作用し、曲げ力として作用する外力が小さくなるので、より大きな外力を支持できる。
また、支持用固着具の頭部と壁面との間にスペーサ部品を設け、そのスペーサ部品の一側面を壁面に接すると共に、他側面に頭部を接しているので、斜め下向きの支持用固着具の頭部をスペーサ部品を介して壁面に接することができる。
また、スペーサ部品と支持用固着具の頭部が支持部材の覆部で覆われて見えないので、取付部の見栄えが良い。
【００１６】
請求項６に係る発明によれば、簡易構造物を壁面に強固に取付けできる。
【発明を実施するための最良の形態】
【００１７】
図１と図２は簡易構造物の一種であるテラスの側面図と正面図であり、壁面１と支柱２とに亘って屋根３を架設してある。
前記屋根３は、壁面１に取付けた垂木掛け４と支柱２間に横架した前桁５に亘って垂木６と側桁７を連結して屋根枠体とし、その屋根枠体に屋根板８が取付けてある。
前記垂木掛け４が本発明に係る取付部材で、以下垂木掛け４を取付部材４として説明する。
【００１８】
次に前記取付部材４の取付けを説明する。
図３に示すように、柱１０の室外側に断熱材１１が設けられ、この断熱材１１の室外側に胴縁１２を設け、その胴縁１２に外壁材１３を取付けて外断熱工法の建物外壁としてある。
前記柱１０が建物躯体で、外壁材１３の表面（室外側面）が前述の壁面１である。
前記断熱材１１、胴縁１２、外壁材１３には取付用孔１１ａ，１２ａ，１３ａと支持用孔１１ｂ，１２ｂ，１３ｂがそれぞれ同心状に連続して形成されている。
この実施の形態では、取付用孔１１ａ，１２ａ，１３ａが上で、支持用孔１１ｂ，１２ｂ，１３ｂが下であると共に、取付用孔１１ａ，１２ａ，１３ａはほぼ水平で、支持用孔１１ｂ，１２ｂ，１３ｂは水平に対して柱１０側が下で、外壁材１３側が上となるように柱１０に向けて斜め下向きである。
【００１９】
前記取付部材４は取付部１４と支持部１５を有し、その取付部１４には取付用の孔１６が形成されている。
この実施の形態では、前記取付部１４が上で、支持部１５が下である。
前記取付部材４を壁面１に取付ける取付用固着具２０が、前記取付部１４の孔１６を貫通し、前記各取付用孔１３ａ，１２ａ，１１ａを挿通して柱１０に固着し、その取付用固着具２０の頭部２０ａを取付部１４の表面１４ａに接し、裏面１４ｂを外壁材１３の表面（壁面１）に押しつけて取付部材４を壁面１に、上下方向、左右方向に動かないように取付けている。
【００２０】
前記取付部材４に作用する外力を支持する支持用固着具３０が前記各支持用孔１３ｂ，１２ｂ，１１ｂを挿通して柱１０に固着して取付けてある。
この支持用固着具３０は前記取付用固着具２０よりも下に位置し、その頭部３０ａが壁面１から突出し、その頭部３０ａに前記取付部材４の支持部１５が当接して取付部材４に作用する外力を支持し、その外力で取付用固着具２０の柱１０から突出した部分（頭部２０ａから柱１０までの部分）が曲がることがないようにしている。
【００２１】
このようであるから、取付用固着具２０の柱１０から突出している部分（頭部２０ａから柱１０までの部分）の長さが、断熱材１１の厚さによって長い場合でも、その取付用固着具２０が取付部材４に作用する外力で曲がることがないようにできる。
【００２２】
この実施の形態では、支持用固着具３０は水平に対して頭部３０ａが上で、柱１０側（つまり、固着部３０ｂ）が下となるように柱１０に向けて斜め下向きであるので、取付部材４に作用する外力の大半が支持用固着具３０の軸方向に作用し、曲げ力として作用する外力が小さくなるため、その支持用固着具３０が曲がりづらく、支持用固着具３０で大きな外力を支持できる。
【００２３】
前述のように支持用固着具３０が水平に対して斜め下向きであるから、スペーサ部品３１を設け、そのスペーサ部品３１の一側面３１ａと他側面３１ｂの角度を支持用固着具３０の水平に対する角度とし、その一側面３１ａを外壁材１３の表面（壁面１）に接すると共に、他側面３１ｂに頭部３０ａを接している。
これによって、支持用固着具３０の頭部３０ａがスペーサ部品３１を介して外壁材１３の表面に接するので、前述の取付部材４に作用する外力を確実に支持できる。
【００２４】
また、取付用固着具２０は略水平であるから、その取付用固着具２０を柱１０に固着する作業がやり易いと共に、スペーサ部品などを用いずに頭部２０ａを取付部１４の表面１４ａに正しく接して裏面１４ｂを外壁材１３の裏面に確実に押しつけできる。
【００２５】
この実施の形態では、取付部材４を取付部１４を有した本体部材４ａと支持部１５を有した支持部材４ｂの２部材で形成してある。
前記本体部材４ａの取付部１４と支持部材４ｂを取付用固着具２０で前述のように壁面１に取付け、支持部材４ｂの支持部１５を支持用固着具３０の頭部３０ａに接している。
このようにすれば、本体部材４ａを簡易構造物の既存の取付部材４とすることができるので、支持部材４ｂを用いることで既存の取付部材４を取付けできる。
【００２６】
前記取付部材４（本体部材４ａ）は図３、図４に示すように、縦板４０の上部に屋根板取付用の凹部４１を有すると共に、その縦板４０の下部に壁面当接用の横板４２を有した断面形状の長尺材で、前記縦板４０に前述の孔１６が形成されて取付部１４としてある。
前記支持部材４ｂは図３、図４に示すように、取付用の縦片４５と、この縦片４５の下端部に一体的に設けた覆体４６を備えている。
前記覆体４６は、上面板４６ａと前面板４６ｂと下面板４６ｃと左右の側面板４６ｄで後面（つまり、壁面１と対向した面）が開口した箱形状で、縦片４５が壁面１に接することで覆体４６の開口端面が壁面１に接するようにしてある。
前記縦片４５に取付用の孔４５ａが形成され、この取付用の孔４５ａに前記取付用固着具２０が挿通し、支持部材４ｂの取付部分である。
前記覆体４６の上面板４６ａに前記横板４２が載置し、その上面板４６ａが本体部材載置部である。
前記覆体４６が支持用固着具３０の頭部３０ａに当接し、その覆体４６が支持部１５である。
【００２７】
前記支持部材４ｂの縦片４５と本体部材４ａの縦板４０が接し、孔１６、孔４５ａから取付用固着具２０を柱１０に固着して本体部材４ａと支持部材４ｂが共通の取付用固着具２０で壁面１に取付けられる。
前記本体部材４ａ（取付部材４）の横片４２が覆体４６の上面板４６ａに載置し、その覆体４６が支持用固着具３０の頭部３０ａを覆い、その覆体４６の内面が頭部３０ａに当接する。
このようであるから、支持用固着具３０の頭部３０ａ、スペーサ部品３１は覆体４６によって覆われ、壁面１の正面及び側面から見た時に頭部３０ａ、スペーサ部品３１が見えないようにできる。
【００２８】
次に、取付部材４の取付けを説明する。
柱１０に断熱材１１、胴縁１２、外壁材１３を取付けて建物外壁を構築する。
この後に、ドリル等の穿孔用工具を用い外壁材１３、胴縁１２、断熱材１１に、取付用孔１３ａ，１２ａ，１１ａ、支持用孔１３ｂ，１２ｂ，１１ｂをそれぞれ形成する。
この各孔は各固着具２０，３０の径よりも若干小径とし、各固着具２０，３０を押し込むことで挿通するようにすることが好ましい。なお、図３においては理解し易いように、各孔を各固着具２０，３０の径よりも若干大径として図示してある。
また、柱１０に孔を形成して各固着具２０，３０を固着し易いようにしても良い。
前記各固着具２０，３０は柱１０が木製であるから木ねじとしてある。
【００２９】
壁面１にスペーサ部品３１を接し、そのスペーサ部品３１の孔３１ｃから支持用固着具３０を挿入して柱１０に固着して取付ける。
この支持用固着具３０の頭部３０ａに支持部材４ｂの覆体４６の内面を接すると共に、取付部材４の横板４２を覆体４６の上面板４６ａに載置して支持部材４ｂの縦片４５に本体部材４ａの縦板４０を接し、前述の孔１６、孔４５ａから取付用固着具２０を柱１０に固着して本体部材４ａと支持部材４ｂを壁面１に取付ける。
【００３０】
このように取付けることで、建物外壁を構築後に取付部材４を取付けできる。
また、支持用固着具３０の頭部３０ａを基準として取付けるので、その取付作業がやり易い。
また、取付用固着具２０で本体部材４ａと支持部材４ｂを同時に固着できる。
【００３１】
前述の覆体４６は、支持用固着具３０の頭部３０ａの角部に上面板４６ａの下面と前面板４６ｂの後面が接する形状であるが、これに限ることはなく任意の形状とすることができる。
例えば、図５に示すように前面板４６ｂを斜めとし、その後面に支持用固着具３０の頭部３０ａの上面全面が接する形状とする。
【００３２】
前述の本体部材４ａと支持部材４ｂを一体としても良い。
例えば、図６に示すように取付部材４の縦板４０下部にほぼコ字状の凹部４３を形成し、この凹部４３が支持用固着具３０の頭部３０ａに嵌まり合って支持するようにする。
【００３３】
次に、簡易構造物が格子である実施の形態を説明する。
図７に示すように、上下の横材５０に亘って複数の縦材５１を取付けて格子とし、その上下の横材５０の長手方向両端部が壁面１における開口部５２の左右両側に取付けて格子が壁面１に取付けてある。
【００３４】
前記横材５０は図８に示すように、本体５３とブラケット５４と支持部材５５を備え、この横材５０が本発明に係る取付部材である。
前記本体５３は矩形断面中空形状で、前記ブラケット５４はＬ字形状であり、そのブラケット５４の一片５４ａが本体５３の下面５３ａにボルト５６で固着してある。
前記支持部材５５は前述した実施の形態の支持部材４ｂと同様に縦片５５ａと覆体５５ｂを有し、その縦片５５ａが壁面１に接し、かつブラケット５４の他片５４ｂが接して前述の取付用固着具２０で壁面１に取付けてある。
前記支持部材５５の覆体５５ｂが支持用固着具３０の頭部３０ａに接している。
【００３５】
このようであるから、本体５３とブラケット５４で前述の本体部材を形成し、ブラケット５４の他片５４ｂが前述の取付部１４である。
前記支持部材５５の覆体５５ｂが支持部１５である。
【００３６】
前記本体５３の上面５３ｂにもブラケット５４の一片５４ａがボルト５６で固着して取付けてあり、このブラケット５４の他片５４ｂと支持部材５５の縦片５５ａが取付用固着具２０で壁面１に取付けてある。
前記支持部材５５の覆体５５ｂが支持用固着具３０の頭部３０ａに接している。
これによって、本体５３に作用する上向きの外力を支持用固着具３０で支持できる。
この場合には、支持用固着具３０を柱１０に向けて斜め上向きとする。
【００３７】
前述の各実施の形態におけるスペーサ部品３１は、図９に示すように他側面３１ｂが円弧形状で、孔３１ｃが上下の長孔とすることができる。
このようにすれば、支持用固着具３０の水平に対する角度を若干異ならせることができるので、障害物などのために支持用固着具３０を所定の角度で挿入して固着できない場合に対応できる。
【００３８】
前述の実施の形態では支持用固着具３０を斜めの下向きとしたが、ほぼ水平としても良い。
また、各支持用固着具２０，３０は木ねじに限ることはなく、釘やねじとしても良い。
また、簡易車庫、格子に限ることはなく、バルコニー、テラス、パーゴラ、屋根，日除、庇などの簡易構造物の取付部材を壁面に取付けるものに適用できる。
また、外断熱方式の建物外壁について説明したが、通常一般の建物外壁の壁面に取付部材を取付けることもできる。
【００３９】
前述の各実施の形態では支持部１５を支持用固着具３０の頭部３０ａに接したが、図９のように支持部１５をスペーサ部品３１に接しても良いし、図９に仮想線で示すように支持部１５を支持用固着具３０の頭部３０ａとスペーサ部品３１にそれぞれ接しても良い。すなわち、支持部１５は支持用固着具３０の頭部３０ａとスペーサ部品３１との少なくとも一方に接するようにすれば良い。
【００４０】
また、前述の各実施の形態では、建物躯体（柱１０）と外壁材１３との間に断熱材１２が設けられた外断熱あるいは外張り断熱工法の建物外壁の壁面に取付部材４を取付けたが、建物躯体（柱１０）と外壁材１３との間に通気用空間が設けられた通気工法の建物外壁の壁面に取付部材４を取付けることができる。つまり、本発明は、建物躯体と外壁材との間に間隔を有した建物外壁の壁面に取付部材４を取付ける場合に効果的である。
【図面の簡単な説明】
【００４１】
【図１】テラスの側面図である。
【図２】テラスの正面図である。
【図３】本発明の取付部材の取付部分の断面図である。
【図４】本体部材と支持部材の斜視図である。
【図５】支持部材の形状が異なる取付部分の断面図である。
【図６】本体部材と支持部材が一体である取付部分の断面図である。
【図７】格子の正面図である。
【図８】取付部材の取付部分の断面図である。
【図９】スペーサ部品の他の実施の形態を示す断面図である。
【符号の説明】
【００４２】
１…壁面、４…取付部材（垂木掛け）、４ａ…本体部材、４ｂ…支持部材、１０…柱（建物躯体）、１３…外壁材、１４…取付部、１５…支持部、２０…取付用固着具、２０ａ…頭部、３０…支持用固着具、３０ａ…頭部、３１…スペーサ部品、３１ａ…一側面、３１ｂ…他側面、３１ｃ…孔、５０…横材、５１…縦材、５３…本体、５４…ブラケット、５５…支持部材。
【図１】
0005158685.tif 000002
【図２】
0005158685.tif 000003
【図３】
0005158685.tif 000004
【図４】
0005158685.tif 000005
【図５】
0005158685.tif 000006
【図６】
0005158685.tif 000007
【図７】
0005158685.tif 000008
【図８】
0005158685.tif 000009
【図９】
0005158685.tif 000010